(57)【要約】【課題】雨水等の水の漏れを容易且つ低コストに防止可能な伸縮継手を提供する。【解決手段】本発明に係る伸縮継手３０は、雨樋にサイフォン現象を発生させるためのサイフォン発生部の下流側に設置される管材同士を接続する伸縮継手であって、筒状体３７を有し、筒状体３７の上流側の端部には前記管材をスライド可能に嵌合するスライド受け口３２Ａが設けられ、スライド受け口３２Ａの内周面３４には複数の凸条４１が形成されている。【選択図】図３
2019039226.tif 000002
【特許請求の範囲】
【請求項１】
雨樋にサイフォン現象を発生させるためのサイフォン発生部の下流側に設置される管材同士を接続する伸縮継手であって、
筒状体を有し、
前記筒状体の少なくとも一端部には前記管材をスライド可能に嵌合するスライド受け口が設けられ、
前記スライド受け口の内周面には複数の凹凸が形成されていることを特徴とする伸縮継手。
【請求項２】
前記複数の凹凸は前記筒状体の周方向に沿って形成された複数の凹条又は凸条によって構成され、
前記凹条又は前記凸条は前記筒状体の軸線方向に沿って平行に延びていることを特徴とする請求項１に記載の伸縮継手。
【請求項３】
前記複数の凹凸は前記筒状体の周方向に沿って形成された複数の凹条又は凸条によって構成され、
前記凹条又は前記凸条は前記筒状体の軸線方向に対して交差していることを特徴とする請求項１に記載の伸縮継手。
【請求項４】
請求項１から３の何れか一項に記載の伸縮継手を備えたサイフォン雨樋システムであって、
前記サイフォン発生部を有する雨樋上流部の下流側に前記伸縮継手の一端の前記スライド受け口が接続され、
前記伸縮継手の他端が雨樋下流部に接続されていることを特徴とするサイフォン雨樋システム。
【発明の詳細な説明】
【技術分野】
【０００１】
本発明は、伸縮継手及びサイフォン雨樋システムに関する。
【背景技術】
【０００２】
一般に、建築物には、屋根から流れ落ちる雨水を受け止め、地上へと流し込むための雨樋が設けられている。雨樋は、軒樋、集水器、竪樋、直管、エルボ等の部材が複数組みあわされて構成されている。近年、雨樋の排水能力を高めるために、竪樋の内部を満水状態にすることで、水の吸引作用（所謂、サイフォン現象）を発生させ、排水量を飛躍的に増大させるサイフォン雨樋システムが提案されている。
【０００３】
例えば、特許文献１には、軒先に取り付けられた軒樋の底部に、家屋の外壁材に沿って縦方向に配設した３〜１３ｃｍ２の開口面積を有するサイフォン管の上端が接続されたサイフォン式雨水排水装置が開示されている。
【先行技術文献】
【特許文献】
【０００４】
【特許文献１】特許第４１３０６１６号公報
【発明の概要】
【発明が解決しようとする課題】
【０００５】
サイフォン雨樋システムでは、雨水は、軒樋の底部に設けられた集水口に集められた後、ほぼ満水状態で呼び樋に流入し、呼び樋を介して所定の位置（即ち、雨水をマスに流下させるために都合の良い位置）に導かれ、マスに向かって竪樋を流下する。竪樋は建築物の壁や柱に沿ってほぼ垂直に設けられているので、竪樋の長さは建築物の大きさに合わせて設定されている。
【０００６】
竪樋の長さを所望の長さに調節する場合、複数の管材のうち少なくとも一以上の管材の長さを適宜調節し、管材同士を伸縮継手によって接続することがある。例えば、特開２００４−１８３３９５号公報には、上下の管材同士を伸縮継手で接続する際に伸縮ストロークの調整を簡単に行う目的で、図６及び図７に示すように、受け口１３２Ａの内周面１３４に挿込代の目印Ｍが設けられている伸縮継手１００が開示されている。伸縮継手１００は、上下方向の両端部に接続部１３５，１３５を有する短管１３７を備えている。上側の接続部１３５の内周面１３４には、テーパー状に先拡がりの受け口１３２Ａが形成されると共に、目印Ｍが設けられている。
【０００７】
しかしながら、サイフォン雨樋システム（図１参照）において竪樋に伸縮継手１００を用いた場合、竪樋の上端から満水状態で雨水が伸縮継手１００に流入した際に、受け口１３２Ａより下側の伸縮継手１００の内部に突起１３６や段差等があると、突起１３６や段差で雨水が跳ね上がることがあった。そうすると、図６に示すように、突起１３６や段差で跳ね上がった雨水が伸縮継手１００と伸縮継手１００の上側に接続された直管２２との間から漏れるという問題があった。雨水の漏れを防止するために、伸縮継手１００と直管２２との間にシール材や止水テープ等を設けるという場合もあるが、手間とコストがかかるという問題があった。
【０００８】
本発明は、上述の事情を鑑みてなされたものであり、雨水等の水の漏れを容易且つ低コストに防止可能な伸縮継手、及び該伸縮継手を備えたサイフォン雨樋システムを提供する。
【課題を解決するための手段】
【０００９】
本発明に係る伸縮継手は、雨樋にサイフォン現象を発生させるためのサイフォン発生部の下流側に設置される管材同士を接続する伸縮継手であって、筒状体を有し、前記筒状体の少なくとも一端部には前記管材をスライド可能に嵌合するスライド受け口が設けられ、前記スライド受け口の内周面には複数の凹凸が形成されていることを特徴とする。
【００１０】
上述の構成では、スライド受け口の内周面に複数の凹凸が形成されていることによって、スライド受け口の内周面の水に対する抵抗が発揮されている。そのため、管材同士を接続する伸縮継手において、スライド受け口から流入した水（雨水）が筒状体の内側の突出部等によって跳ね返ったとしても、抵抗の高い内周面で水が戻り難くなり、水が伸縮継手とスライド受け口に接続された管材との間から漏れない。また、伸縮継手とスライド受け口に接続された管材との間にシール材や止水テープ等を設ける必要がなく、水の漏れが容易且つ低コストに防がれる。
【００１１】
また、本発明に係る伸縮継手においては、前記複数の凹凸は前記筒状体の周方向に沿って形成された複数の凹条又は凸条によって構成されていてもよい。前記凹条又は前記凸条は、前記筒状体の軸線方向に沿って平行に延びていてもよい。また、前記凹条又は前記凸条は、前記筒状体の軸線方向に対して交差していてもよい。
【００１２】
上述の構成によれば、複数の凹条又は凸条が形成されていることで、スライド受け口の内周面の水に対する抵抗を効率よく発揮させることができる。
【００１３】
本発明に係るサイフォン雨樋システムは、上述の伸縮継手を備えたサイフォン雨樋システムであって、前記サイフォン発生部を有する雨樋上流部の下流側に前記伸縮継手の一端の前記スライド受け口が接続され、前記伸縮継手の他端が雨樋下流部に接続されていることを特徴とする。
【００１４】
上述の構成によれば、サイフォン発生部で発生したサイフォン現象によって水が満水状態で管材から伸縮継手に流入した際に、伸縮継手の筒状体の内側に設けられた突出部等によって跳ね返ったとしても、抵抗の高い内周面で水が戻り難くなり、水が伸縮継手とスライド受け口に接続された管材との間から漏れない。また、伸縮継手とスライド受け口に接続された管材との間にシール材や止水テープ等を設ける必要がなく、水の漏れが容易且つ低コストに防がれる。
【発明の効果】
【００１５】
本発明に係る伸縮継手及びサイフォン雨樋システムによれば、雨水等の排水の漏れを容易且つ低コストに防止することができる。
【図面の簡単な説明】
【００１６】
【図１】本発明に係る実施形態のサイフォン雨樋システムの側面図である。
【図２】図１に示すサイフォン雨樋システムにおける伸縮継手と該伸縮継手によって接続された管材を示す断面図である。
【図３】図１及び図２に示す伸縮継手の筒状体の軸線に沿った方向の断面図である。
【図４】図１及び図２に示す伸縮継手の筒状体の軸線に沿った方向の別の断面図（変形例）である。
【図５】図１及び図２に示す伸縮継手の筒状体の軸線に沿った方向のさらに別の断面図（変形例）ある。
【図６】従来の伸縮継手と該伸縮継手によって接続された管材の各軸線に沿った方向の断面図である。
【図７】図６に示す伸縮継手の筒状体の軸線に沿った方向の断面図である。
【発明を実施するための形態】
【００１７】
以下、本発明に係るサイフォン雨樋システム用エルボ及びサイフォン雨樋システムの実施形態について、図面を参照して説明する。なお、以下の説明で用いる図面は模式的なものであり、長さ、幅、及び厚みの比率等は実際のものと同一とは限らず、適宜変更することができる。
【００１８】
図１に示すように、本発明を適用した一実施形態のサイフォン雨樋システム（雨樋）１は、軒樋２、直管１２、エルボ１４、直管１６、エルボ１８、直管（管材）２２、伸縮継手３０、直管（管材）２４、固定継手２５、直管２６、及び養生管２７と、を備えている。以下、サイフォン雨樋システム１の軒樋２を上流側とし、サイフォン雨樋システム１の養生管２７側を下流側とする。ここで、軒樋２、直管１２、エルボ１４、直管１６、エルボ１８、及び直管２２が本発明の雨樋上流部に相当し、直管２４、固定継手２５、直管２６、及び養生管２７が本発明の雨樋下流部に相当する。なお、サイフォン雨樋システム１は軒樋２、直管２２、伸縮継手３０、及び直管２４を備えていればよく、これらの構成要素以外の構成要素はサイフォン雨樋システム１の設置環境等に応じて適宜変更可能とされている。
【００１９】
軒樋２は、不図示の建築物の軒下に設けられている。軒樋２は、図１に示すＤ１方向に直交する断面視において底面２ｂと底面２ｂの両側から上方に立ち上がる側面２ｓとを有し、Ｄ１方向に延在している。軒樋２には、上方から側面２ｓに着脱可能な蓋６が設けられている。蓋６は、不図示の建築物の屋根の底面等に接続され、蓋６及び軒樋２を支持している。
【００２０】
軒樋２の底面２ｂには、集水口１０が形成されている。軒樋２の底面２ｂの内側は、Ｄ１方向に沿って集水口１０が最低部となるように、傾斜している。なお、軒樋２の底面２ｂの外側は略水平に形成され、かつ底面２ｂの内側のみが前述のように傾斜していてもよく、軒樋２自体が集水口１０を最低部として傾斜するように設置されていてもよい。
【００２１】
集水口１０には、サイフォン雨樋システム１にサイフォン現象を発生させるためのサイフォン発生部８が設けられている。サイフォン発生部８は、例えば、集水口１０の開口を覆うように軒樋２の底面２ｂの上方に配置された蓋部材である。なお、サイフォン発生部８の構成は、前述のようにサイフォン現象を発生させることができれば特に限定されない。集水口１０には、集められた雨水を縦引きするために直管１２が接続されている。
【００２２】
直管１２の下流側端部には、エルボ１４、直管１６、及びエルボ１８が順に接続されている。エルボ１４，１８はそれぞれ、両端に設けられた受け口と、該受け口同士を連結すると共に側面視でほぼ９０°屈折又は屈曲した接続部と、を備えている。エルボ１４は、直管１２の内部を流下した雨水を横引きするためのものである。エルボ１８は、横引き用の直管１６の内部を流下した雨水を再び縦引きするためのものである。
【００２３】
エルボ１８の下流側の受け口には、直管２２、伸縮継手３０、直管２４、固定継手２５、直管２６、及び養生管２７からなる竪樋２０が接続されている。なお、竪樋２０は、直管２２、伸縮継手３０、及び直管２４を備えていればよい。固定継手２５、直管２６、及び養生管２７は省略可能であり、竪樋２０が不図示の管材や継手をさらに備えていてもよい。養生管２７の下流側は、地面Ｇの下に埋設された公知の集水マス８０に接続されている。集水マス８０は、直管８２を介して下水管８４等の排水構造に接続されている。
【００２４】
上述したように、伸縮継手３０は、サイフォン発生部８の下流側に設置される直管２２，２４同士を接続する継手である。サイフォン発生部８が設けられた軒樋２の下流側の集水口１０には、伸縮継手３０のスライド受け口（一端）３２Ａが接続されている。伸縮継手３０の固定受け口（他端）３２Ｂは雨樋下流部に接続されている（図１参照）。
【００２５】
図２に示すように、伸縮継手３０は、Ｄ２方向に沿って一定の外径を有する筒状体３７を備えている。筒状体３７の上流側の端部（一端部）には直管２２をＤ２方向に沿ってスライド可能に嵌合するスライド受け口３２Ａが設けられている。筒状体３７の下流側の端部には直管２２を嵌合すると共に固定する固定受け口３２Ｂが設けられている。
【００２６】
図３に示すように、スライド受け口３２Ａの内周面３４は、筒状体３７の軸線Ｊに沿った断面視において、下流側から上流側に進むに従って僅かに拡がるようにテーパー状に形成されている。即ち、スライド受け口３２Ａの直径は、下流側から上流側に進むに従って拡がっている。下流側のスライド受け口３２Ａの直径はスライド受け口３２Ａに嵌合される直管２２の外径より大きく、上流側のスライド受け口３２Ａの直径は直管２２の外径より小さい。このような構成によって、スライド受け口３２Ａに嵌合された直管２２の下流側の端部は、スライド受け口３２Ａの直径が直管２２の外径と等しくなる位置Ｓで係止される。言い換えれば、直管２２の外径が適宜調節されることで、スライド受け口３２Ａにおける直管２２の相対的な位置Ｓが変更可能とされている。
【００２７】
スライド受け口３２Ａの内周面３４には、複数の凹凸が形成されていることによって、水に対する抵抗が高い高抵抗領域が形成されている。本実施形態では、図３に示すように、複数の凹凸が筒状体３７のＲ方向（周方向）に沿って形成された複数の凸条４１によって構成されている。つまり、複数の凹凸の凸部が複数の凸条４１であり、複数の凹凸の凹部が複数の凸条４１同士の間の凹みである。凸条４１は、筒状体３７の軸線Ｊに沿った方向（軸線方向）に対して平行に形成されている。水に対する抵抗を適度に高める観点から、凸条４１のＲ方向における幅ｐ４１は、０．１μｍ以上３０００μｍ以下であることが好ましい。
【００２８】
固定受け口３２Ｂの内周面は、筒状体３７の軸線Ｊに平行するように形成されている。即ち、固定受け口３２Ｂの直径は、下流側から上流側に沿って一定であり、固定受け口３２Ｂに嵌合される直管２４の外径とほぼ同一である。
【００２９】
筒状体３７において、スライド受け口３２Ａと固定受け口３２Ｂとの境界部分には、筒状体３７の内周面から径方向内側に突出する突起３６がＲ方向の全体に形成されている。突起３６の上流側には、雨水を下流側へと円滑に流下させるために、径方向内側に進むに従って下降する傾斜面が形成されている。一方、突起３６の上流側には、固定受け口３２Ｂに嵌合される直管２４の上流側端面が当接することで直管２４を係止する平滑面が形成されている。
【００３０】
図３に示す複数の凹凸の変形例として、図４に示すように、複数の凹凸が筒状体３７のＲ方向（周方向）に沿って形成された複数の凸条４３によって構成されていてもよい。但し、凸条４３は、筒状体３７の軸線Ｊに沿った方向に対して交差している。このような変形例においても、複数の凹凸の凸部が複数の凸条４３であり、複数の凹凸の凹部が複数の凸条４３同士の間の凹みである。凸条４３のＲ方向における幅ｐ４３は、幅ｐ４１と同様に、０．１μｍ以上３０００μｍ以下であることが好ましい。
【００３１】
図３に示す複数の凹凸の別の変形例として、図５に示すように、複数の凹凸が筒状体３７のＲ方向（周方向）に沿って形成された複数の凹条４２によって構成されていてもよい。このような変形例では、複数の凹凸の凸部が複数の凹条４２同士の間の突出部分であり、複数の凹凸の凹部が複数の凹条４２である。また、凹条４２は筒状体３７の軸線Ｊに沿った方向に対して平行に形成されていてもよく、前述の変形例を適用して筒状体３７の軸線Ｊに沿った方向に対して交差していてもよい。
【００３２】
複数の凹凸を構成する複数の凸条４１，４３や凹条４２は、スライド受け口３２Ａの内周面３４のＤ２方向（即ち、軸線Ｊに沿った方向）の全体にわたって形成されていることが好ましい。しかしながら、凸条４１，４３や凹条４２は、スライド受け口３２Ａの内周面３４において、少なくとも突起３６で跳ねる雨水に対して抵抗を高めるのが望ましい部分に形成されていればよい。例えば、図５に示すように、複数の凹条４２は、スライド受け口３２Ａの内周面３４においてＤ２方向に沿った下流側のみに形成されていてもよい。Ｄ２方向におけるスライド受け口３２Ａの全長に対して複数の凹条４２（又は、複数の凸条４１，４３）が形成されている長さｈ４２の割合は、２０％以上１００％以下であることが好ましい。
【００３３】
以上説明した本実施形態の伸縮継手３０では、スライド受け口３２Ａの内周面３４に複数の凸条４１，４３（複数の凹凸）又は凹条４２（複数の凹凸）が形成されているので、内周面３４の水に対する抵抗を高く発揮させることができる。そのため、図２に示すように、直管２２，２４同士を接続する伸縮継手３０において、スライド受け口３２Ａから流入した雨水が筒状体３７の内側の突起３６によって跳ね返ったとしても、抵抗の高い内周面３４で水の進行速度が遅くなり、上流側へ戻り難くなる。従って、雨水が伸縮継手３０のスライド受け口３２Ａと直管２２の下流側の端部との間から漏れ出すのを防止することができる。このように、本実施形態の伸縮継手３０及び伸縮継手３０を備えたサイフォン雨樋システム１によれば、伸縮継手３０のスライド受け口３２Ａと直管２２の下流側の端部との間にシール材や止水テープ等を設けなくても、雨水が伸縮継手３０のスライド受け口３２Ａと直管２２の下流側の端部との間から漏れ出すのを容易且つ低コストに防ぐことができる。
【００３４】
また、本実施形態の伸縮継手３０によれば、内周面３４に、複数の凹凸として複数の凹条４２又は凸条４１，４３が形成されていることで、スライド受け口３２Ａの内周面３４の水に対する抵抗を効率よく発揮させることができる。
【００３５】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００３６】
例えば、本発明に係る伸縮継手３０のスライド受け口３２Ａの内周面３４に形成される複数の凹凸は、複数の凸条４１，４３や凹条４２によって構成されるものに限定されず、内周面３４に散在する複数の凸部や凹部であってもよく、シボ加工等によって形成されるものであっても構わない。前述の複数の凸部や凹部の形状は、例えば円形、三角形や六角形等の多角形であってもよく、水に対する内周面３４の抵抗を効率よく発揮させることができれば特に制限されない。
【００３７】
また、伸縮継手３０のスライド受け口３２Ａの内周面３４には、複数の凹凸として部分的に複数の凸条４１が形成されると共に、残りの部分に複数の凹条４２が形成されていてもよい。同様に、複数の凹凸は、内周面３４の区分毎に互いに異なる凹凸形状によって構成されていてもよい。さらに、図３から図５に例示した伸縮継手３０のスライド受け口３２Ａの内周面３４に形成された複数の凸条４１，４３及び凹条４２の幅は、Ｒ方向において不均一であってもよい。即ち、内周面３４に形成される複数の凹凸の凹部及び凸部の大きさは、不均一であっても構わない。
【００３８】
また、伸縮継手３０の上流側に加えて、下流側にもスライド受け口が設けられていてもよく、下流側のスライド受け口の内周面に複数の凹凸が形成されていてもよい。
【００３９】
さらに、伸縮継手３０及び伸縮継手３０に嵌合される管材は、竪樋２０を構成するものに限定されず、伸縮継手３０のスライド受け口と管材の端部との間から水が漏れ出すのを防止することが有効な配管構造に対して有効である。
【符号の説明】
【００４０】
１…サイフォン雨樋システム（雨樋）
８…サイフォン発生部
２２，２４…直管（管材）
３０…伸縮継手
３２Ａ…スライド受け口
３４…内周面
３７…筒状体
４１，４３…凸条
４２…凹条
Ｊ…軸線
Ｒ…方向（周方向）
【図１】
2019039226.tif 000003
【図２】
2019039226.tif 000004
【図３】
2019039226.tif 000005
【図４】
2019039226.tif 000006
【図５】
2019039226.tif 000007
【図６】
2019039226.tif 000008
【図７】
2019039226.tif 000009